(57)【特許請求の範囲】
【請求項１】
デジタルテレビ放送を受信する受信装置であって、
選択されたテレビ番組を受信する受信手段と、
前記選択されたテレビ番組が契約済みの有料番組であり、かつ、契約済みであることを秘密にする必要がある有料番組であるか否かを判定する制御手段
とを有し、
前記選択されたテレビ番組が契約済みの有料番組であり、かつ、契約済みであることを秘密にする必要がある有料番組である場合、前記制御手段は、前記選択されたテレビ番組が未契約であることを示す表示を表示装置に表示させることを特徴とする受信装置。
【請求項２】
前記選択されたテレビ番組が契約済みの有料番組であり、かつ、契約済みであることを秘密にする必要がある有料番組である場合、前記制御手段は、前記選択されたテレビ番組が未契約であることを示す表示を前記表示装置に表示させるとともに、前記選択されたテレビ番組の視聴に必要な情報が入力されたか否かを判定することを特徴とする請求項１に記載の受信装置。
【請求項３】
前記選択されたテレビ番組が契約済みの有料番組であり、かつ、契約済みであることを秘密にする必要がない有料番組である場合、前記制御手段は、前記選択されたテレビ番組の視聴を可能にする前に、前記選択されたテレビ番組の視聴に必要な情報の入力を要求する表示を前記表示装置に表示させることを特徴とする請求項１又は２に記載の受信装置。
【請求項４】
前記選択されたテレビ番組が契約済みの有料番組であり、かつ、契約済みであることを秘密にする必要がある有料番組である場合、前記制御手段は、前記選択されたテレビ番組の視聴に必要な情報が入力されたか否かに応じて、前記選択されたテレビ番組の視聴を可能にするか否かを決定することを特徴とする請求項１から３のいずれかに記載の受信装置。
【請求項５】
前記選択されたテレビ番組が契約済みの有料番組であり、かつ、契約済みであることを秘密にする必要がある有料番組である場合、前記制御手段は、前記選択されたテレビ番組の視聴に必要な情報が入力されるまで前記選択されたテレビ番組を視聴できないようにすることを特徴とする請求項１から４のいずれかに記載の受信装置。
【請求項６】
前記選択されたテレビ番組が契約済みの有料番組であるか否かを示す第１の情報と、前記選択されたテレビ番組が契約済みであることを秘密にする必要がある有料番組であるか否かを示す第２の情報とを記憶する記憶手段をさらに有することを特徴とする請求項１から５のいずれかに記載の受信装置。
【発明の詳細な説明】
【０００１】
【発明の属する技術分野】
本発明は、デジタルテレビ放送を受信する受信装置に関する。
【０００２】
【従来の技術】
従来のデジタルテレビ放送受信装置では、ＩＣカードにより有料番組の視聴を制限していた。
【０００３】
【発明が解決しようとする課題】
しかしながら、従来のデジタルテレビ放送受信装置では、正当な契約者のＩＤカードを装着していれば、契約者以外のユーザ（例えば、客人、視聴に際して制限年齢にある家族の者など）でも簡単に契約済みの有料番組を視聴できるという問題がある。また、従来のデジタルテレビ放送受信装置では、契約済みの有料番組であることを秘匿することができないため、契約者以外のユーザに知られたくない場合であっても、それを防止することができないという問題がある。
【０００４】
そこで、本発明は、選択されたテレビ番組が契約済みであってもそのテレビ番組が契約済みであることを秘密にできるようにすることを目的とする。
【０００５】
【課題を解決するための手段】
本発明に係る受信装置は、例えば、デジタルテレビ放送を受信する受信装置であって、選択されたテレビ番組を受信する受信手段と、前記選択されたテレビ番組が契約済みの有料番組であり、かつ、契約済みであることを秘密にする必要がある有料番組であるか否かを判定する制御手段とを有し、前記選択されたテレビ番組が契約済みの有料番組であり、かつ、契約済みであることを秘密にする必要がある有料番組である場合、前記制御手段は、前記選択されたテレビ番組が未契約であることを示す表示を表示装置に表示させることを特徴とする。
【０００７】
【実施例】
以下、図面を参照して、本発明に好適な実施例について詳細に説明する。
【０００８】
図１は、本実施例におけるデジタルテレビ放送システムの概略構成を示すブロック図である。
【０００９】
図１において、１０は、有料番組１４を放送する放送局である。２０は、放送局１０から放送された有料番組１４を受信するデジタルテレビ放送受信装置である。
【００１０】
スクランブル部１２は、スクランブル鍵により有料番組１４をスクランブルする。暗号化部１６は、有料番組１４の関連情報（スクランブル部１２で使用されたスクランブル鍵、有料番組１４の契約情報などを含む）を暗号化する。多重化部１８は、スクランブル部１２の出力及び暗号化部１６の出力を多重化する。多重化部１８の出力は、放送局１０から不特定多数のデジタルテレビ放送受信装置２０に放送される。
【００１１】
分離部２２は、受信装置２０で受信されたデジタルテレビ放送から有料番組１４と有料番組１４の関連情報とを分離し、前者をデスクランブル部２４に、後者をＩＣカード２６内の暗号解読部２８に供給する。暗号解読部２８は、有料番組１４の関連情報（スクランブル部１２で使用されたスクランブル鍵、有料番組１４の契約情報などを含む）を解読する。解読されたスクランブル鍵は、スイッチ３２を介してデスクランブル部２４に供給される。また、解読された契約情報は、視聴判定部３０に供給される。
【００１２】
視聴判定部３０は、解読された契約情報を調べ、有料番組１４が契約済みであるか否かを判定する。有料番組１４が契約済みである場合、視聴判定部３０はスイッチ３２を閉成する。この場合、解読されたスクランブル鍵はデスクランブル部２４に供給されるので、有料番組１４のスクランブルは解除される。一方、有料番組１４が契約済みでない場合、視聴判定部３０はスイッチ３２を開成する。この場合、解読されたスクランブル鍵はデスクランブル部２４に供給されないので、有料番組１４のスクランブルは解除されない。デスクランブル部２４は、解読されたスクランブル鍵により分離部２２から供給された有料番組１４のスクランブルを解除する。
【００１３】
データベース３４は、受信装置２０で受信可能な各テレビ番組に関する情報（以下、番組情報）を記憶するデータベースである。番組情報には、有料番組であるか否かを示す情報、契約済みの有料番組であるか否かを示す情報、契約者以外のユーザに知られたくない契約済み有料番組（以下、秘匿番組）であるか否かを示す情報、契約済みの有料番組の視聴に必要な暗証番号（または、パスワード）などがある。制御部３６は、メモリ及びマイクロコンピュータを有する制御部である。制御部３６は、データベース３４に記憶されている情報を使用して図４に示す番組表を作成し、それを表示装置４０に表示される。また、制御部３６は、有料番組１４のスクランブルを解除する場合、スイッチ３２を閉成し、有料番組１４のスクランブルを解除しない場合、スイッチ３２を開成する。
【００１４】
図２は、受信装置２０を遠隔操作するリモートコントローラ（以下、リモコン）について説明する図である。
【００１５】
図２において、１１０は、リモコンである。１１２は、赤外線発光部である。１１４は、実行／決定キーである。１１６は、カーソルを上下方向または左右方向に移動させるカーソルキーである。１１８は、受信装置２０のスピーカの音量を調節するアップダウンキーである。１２０は、受信装置２０が受信するチャンネルを切り替えるアップダウンキーである。１２２は、音声出力の一時的停止を指示するミュートキーである。１２４は、受信装置２０の入力ソースの切り替える入力切り替えキーである。１２６は、数字の入力、チャンネル番号の入力、暗証番号（または、パスワード）の入力に使用されるテンキーである。１２８は、ファンクションキーである。１３０は、４色のカラーキーである。
【００１６】
図４は、契約者以外のユーザに知られたくない契約済み有料番組（即ち、秘匿番組）の登録、登録の取り消しを行う番組表の一例を示す図である。図４に示す番組表は、契約者が予め登録したパスワードと同じパスワードを入力した場合にのみ表示装置４０に表示される。
【００１７】
図４において、１５２は、秘匿番組の登録、登録の取り消しを行う番組表である。番組表１５２は、制御部３６で生成され、表示装置４０に表示される。番組表１５２では、有料番組Ｄ、Ｅ、Ｈ、Ｉ及びＪが秘匿番組として登録されている例を示す。１４０は、契約済みの有料番組の名称を表示するエリアである。１４２は、契約済みの有料番組のチャンネル番号を表示するエリアである。１４４は、契約済みの有料番組の内容を説明する説明文を表示するエリアである。１４６は、契約済みの有料番組が放送される時間を表示するエリアである。１４８は、各種の補助情報（秘匿番組であることを示すマークなど）を表示するエリアである。１５０は、番組表１５２上を移動するカーソルである。ユーザは、リモコン１１０のカーソルキー１１６を操作することにより、カーソル１５０を上下方向に移動させることができる。
【００１８】
契約者がカーソル１５０を秘匿番組でない有料番組に合わせ、実行／決定キー１１６を押下した場合、その有料番組は秘匿番組となる。一方、契約者がカーソル１５０を秘匿番組である有料番組に合わせ、実行／決定キー１１６を押下した場合、その有料番組は秘匿番組ではなくなる。
【００１９】
図３は、本実施例における受信装置２０の処理手順の一つを説明するフローチャートである。図３に示すフローチャートは、契約者及び契約者以外のユーザがリモコン１１０により、視聴を希望するテレビ番組を選択した場合に実行される。なお、図３に示すフローチャートの実行に必要な制御プログラムは、制御部３６内のメモリに格納されている。
【００２０】
ステップＳ１：制御部３６は、選択されたテレビ番組の番組情報をデータベース３４から読み出す。
【００２１】
ステップＳ２：制御部３６は、選択されたテレビ番組が有料番組であるか否かを判定する。有料番組（例えば、チャンネル２９８のテレビ番組Ｂ）である場合、本フローチャートはステップＳ３に進む。一方、有料番組でない場合、本フローチャートは終了する。この場合、選択されたテレビ番組は表示装置４０に表示される。
【００２２】
ステップＳ３：制御部３６は、選択されたテレビ番組が契約済みの有料番組であるか否かを判定する。契約済みの有料番組である場合、本フローチャートはステップＳ４に進む。一方、未契約の有料番組（例えば、チャンネル３０６のテレビ番組Ｊ）である場合、本フローチャートはステップＳ１０に進む。
【００２３】
ステップＳ４：制御部３６は、選択されたテレビ番組が秘匿番組（即ち、契約者以外のユーザに知られたくない契約済み有料番組）であるか否かを判定する。秘匿番組である場合、本フローチャートはステップＳ１２に進む。一方、秘匿番組でない場合、本フローチャートはステップＳ５に進む。
【００２４】
ステップＳ５：制御部３６は、テレビ番組を選択したユーザが契約者本人であるかを確認するために、暗証番号（または、パスワード）の入力を要求する表示を表示装置４０に表示させる。暗証番号の入力を要求する表示の一例を図５に示す。
【００２５】
ステップＳ６：受信装置２０は、暗証番号の入力が可能な状態になる。
【００２６】
ステップＳ７：制御部３６は、入力された暗証番号と契約者が登録した暗証番号とが一致するか否かを判定する。両者が一致する場合、本フローチャートはステップＳ８に進む。一方、両者が一致しない場合（つまり、入力された暗証番号が間違っていた場合）、本フローチャートはステップＳ９に進む。
【００２７】
ステップＳ８：制御部３６は、スイッチ３２を閉成させ、暗号解読部２８で復号されたスクランブル鍵をデスクランブル部２４に供給させる（Ｓ８）。これにより、チャンネル２９８のスクランブルが解除され、表示装置４０の画面上に画像が表示される。
【００２８】
ステップＳ９：制御部３６は、暗証番号の入力のキャンセル又は再試行を問い合せる表示を表示装置４０に表示させる。暗証番号の入力のキャンセル又は再試行を問い合せる表示の一例を図６に示す。再試行が選択された場合、本フローチャートはステップＳ５に進む。一方、キャンセルが選択された場合、本フローチャートは終了する。
【００２９】
ステップＳ１０：制御部３６は、選択されたテレビ番組が未契約であることを示す表示を表示装置４０に表示させる。未契約であることを示す表示の一例を図７に示す。
【００３０】
ステップＳ１１：ユーザがリモコン１１０の何れかのキーを押下した場合、本フローチャートは終了する。
【００３１】
ステップＳ１２：制御部３６は、契約者のプライバシーを守るために、未契約であることを示す表示を表示装置４０に表示させ、暗証番号（または、パスワード）の入力を要求する表示を表示装置４０に表示させない。未契約であることを示す表示の一例を図７に示す。このような処理により、契約者以外のユーザは、選択したテレビ番組が未契約の有料番組であると認識することになる。つまり、受信装置２０は、契約者のプライバシーを保護することができる。
【００３２】
ステップＳ１３：受信装置２０は、暗証番号の入力が可能な状態になる。このとき、契約者は、選択したテレビ番組が契約済みのテレビ番組であることを知っているので、リモコン１１０のテンキーを操作し、暗証番号を入力する。なお、ステップＳ１３で入力する暗証番号は、ステップＳ６で入力する暗証番号と同じものであっても、異なるものであってもよい。但し、異なるものである場合の方が、契約者以外のユーザによる利用を防ぐ上で好ましいことは明らかである。
【００３３】
ステップＳ１４：ユーザがリモコン１１０のテンキー１２６を押下した場合、本フローチャートはステップＳ１５に進む。一方、ユーザがリモコン１１０のテンキー１２６以外のキーを押下した場合、本フローチャートは終了する。
【００３４】
ステップＳ１５：制御部３６は、入力された暗証番号と契約者が登録した暗証番号とが一致するか否かを判定する。両者が一致する場合、本フローチャートはステップＳ８に進む。一方、両者が一致しない場合（つまり、入力された暗証番号が間違っていた場合）、本フローチャートは終了する。
【００３５】
以上説明したように、本実施例の受信装置２０によれば、契約済みの有料番組の一部または全てを、通常の操作では未契約の有料番組に見せかけることができるので、契約済みの有料番組の一部または全てを契約者以外のユーザに知られることを防止することができ、契約者のプライバシーを保護することができる。
【００３６】
【発明の効果】
本発明によれば、選択されたテレビ番組が契約済みであってもそのテレビ番組が契約済みであることを秘密にすることができ、契約者のプライバシーを保護することができる。
【図面の簡単な説明】
【図１】  本実施例におけるデジタルテレビ放送システムの概略構成を示すブロック図である。
【図２】  リモコン１１０を説明する図である。
【図３】  本実施例における受信装置２０の処理手順の一つを説明するフローチャートである。
【図４】  秘匿番組を登録するための番組表を示す図である。
【図５】  暗証番号の入力を要求する表示の一例を示す図である。
【図６】  暗証番号の入力のキャンセル又は再試行を問い合せる表示の一例を示す図である。
【図７】  未契約であることを示す表示の一例を示す図である。
【符号の説明】
１０：放送局
１２：スクランブル部
１４：テレビ番組情報
１６：暗号化部
１８：多重化部
２０：受信装置
２２：分離部
２４：デスクランブル部
２６：ＩＣカード
２８：暗号解読部
３０：メモリ
３２：スイッチ
３４：データベース
３６：制御部
３８：スイッチ
４０：表示装置
１１２：赤外線発光部
１１４：実行／決定キー
１１６：カーソルキー
１１８：音量調節用アップダウンキー
１２０：チャンネル切り替え用アップダウンキー
１２２：ミュートキー
１２４：入力切り替えキー
１２６：テンキー
１２８：ファンクションキー
１３０：カラーキー
【図１】
0004040291.tif 000002
【図２】
0004040291.tif 000003
【図３】
0004040291.tif 000004
【図４】
0004040291.tif 000005
【図５】
0004040291.tif 000006
【図６】
0004040291.tif 000007
【図７】
0004040291.tif 000008